Podtech/llm-jp-corpus-v4-ja_patent huggingface dataset:
(57)【要約】      （修正有）【課題】踵部分の皮膚を湿潤状態にすることができ、これによって踵部分の皮膚の乾燥を防いだり、角質化した踵部分の皮膚を軟化させて角質層の除去を促したりすることのできる踵カバーを提供する。【解決手段】合成樹脂素材よりなる踵カバー１であって、踵部分を覆う踵カバー本体２に、足甲に掛け止められるバンド部３が一体形成されてなるものとする。合成樹脂素材は非透湿性と伸縮性とを有するシリコーン樹脂素材とするのが好ましく、また踵カバー本体２の接地面側には多数の滑止用突起を形成するのが好ましい。【選択図】図１
0003134462.tif 000002
【実用新案登録請求の範囲】
【請求項１】
非透湿性と伸縮性とを有する合成樹脂素材よりなる踵カバーであって、
踵部分を覆う踵カバー本体に、足甲に掛け止められるバンド部が一体形成されてなることを特徴とする踵カバー。
【請求項２】
前記踵カバー本体の接地面側に、滑止用突起が形成されている請求項１に記載の踵カバー。
【請求項３】
前記合成樹脂素材には、皮膚表皮保湿剤が含有されている請求項１または２に記載の踵カバー。
【考案の詳細な説明】
【技術分野】
【０００１】
本考案は、人の踵部分の皮膚に湿潤性を付与する踵カバーに関するものである。
【背景技術】
【０００２】
湿度が低く空気が乾燥する真冬を中心とした季節は、皮膚が過度に乾燥して角質化しやすくなり、特に踵部分の皮膚の角質化は著しく、厚肉化すると皮膚にひび割れが生じて苦痛を及ぼす原因となっている。
【０００３】
そこで、従来、軽石などの用具で踵部分の角質化した皮膚をこすり取るという物理的手法や、尿素やサリチル酸などを含む薬用クリームを踵部分の角質化した皮膚に塗り込んで軟化させるという化学的手法などが行われている。
【０００４】
しかしながら、軽石などの用具で角質化した皮膚をこすり取るという物理的手法では、皮膚を傷めてしまうという問題点がある。一方、薬用クリームよって角質化した皮膚を軟化させるという化学的手法では、皮膚がべたついて不快感を伴うという問題点がある。
【考案の開示】
【考案が解決しようとする課題】
【０００５】
本考案は、このような問題点に鑑みてなされたもので、踵部分の皮膚を湿潤状態にすることができ、これによって踵部分の皮膚の乾燥を防いだり、角質化した踵部分の皮膚を軟化させて角質層の除去を促したりすることのできる踵カバーを提供することを目的とするものである。
【課題を解決するための手段】
【０００６】
前記目的を達成するために、本考案による踵カバーは、
非透湿性と伸縮性とを有する合成樹脂素材よりなる踵カバーであって、
踵部分を覆う踵カバー本体に、足甲に掛け止められるバンド部が一体形成されてなることを特徴とするものである（第１考案）。
【０００７】
本考案において、前記踵カバー本体の接地面側に、滑止用突起が形成されているのが好ましい（第２考案）。
【０００８】
また、本考案において、前記合成樹脂素材には、皮膚表皮保湿剤が含有されているのが好ましい（第３考案）。
【考案の効果】
【０００９】
本考案によれば、人の新陳代謝に伴う踵部分の皮膚からの水分の蒸散が踵カバー本体によって阻止されるので、踵部分の皮膚を湿潤状態（ふやけた状態）にすることができ、これによって踵部分の皮膚の乾燥を防いだり、角質化した踵部分の皮膚を軟化させて角質層の除去を促したりすることができる。また、踵カバー本体には足甲に掛け止められるバンド部が一体形成されているので、このバンド部によって踵カバー本体の踵部分への適正な装着状態を保持することができる。
【００１０】
また、第２考案の構成を採用することにより、足元が滑るのを確実に防止することができる。
【００１１】
また、第３考案の構成を採用することにより、長時間に亘って踵部分の皮膚の湿潤性を保持することができる。
【考案を実施するための最良の形態】
【００１２】
次に、本考案による踵カバーの具体的な実施の形態について、図面を参照しつつ説明する。
【００１３】
図１には、本考案の踵カバーが足に装着された状態の斜視図が、図２には、滑止用突起の配列パターンを表わす図が、それぞれ示されている。
【００１４】
本実施形態の踵カバー１は、非透湿性と伸縮性とを有するシリコーン樹脂素材よりなり、図１に示されるように、踵部分を覆う踵カバー本体２に、足甲に掛け止められるバンド部３が一体形成されて構成されている。
【００１５】
踵カバー本体２の接地面側には、図２に示されるように、多数の滑止用突起４が形成されており、これら滑止用突起４は波状模様を呈するように縦横に配置され、これら滑止用突起４により、足元が滑るのを確実に防止することができる。
【００１６】
本実施形態の踵カバー１の構成材であるシリコーン樹脂素材には、皮膚表皮保湿剤としてのスクワランが含有されており、このスクワランにより、長時間に亘って踵部分の皮膚の湿潤性を保持することができる。
【００１７】
本実施形態の踵カバー１によれば、人の新陳代謝に伴う踵部分の皮膚からの水分の蒸散が踵カバー本体２によって阻止されるので、踵部分の皮膚を湿潤状態（ふやけた状態）にすることができ、これによって踵部分の皮膚の乾燥を防いだり、角質化した踵部分の皮膚を軟化させて角質層の除去を促したりすることができる。また、踵カバー本体２には足甲に掛け止められるバンド部３が一体形成されているので、このバンド部３によって踵カバー本体２の踵部分への適正な装着状態を保持することができる。
【図面の簡単な説明】
【００１８】
【図１】本考案の踵カバーが足に装着された状態の斜視図
【図２】滑止用突起の配列パターンを表わす図
【符号の説明】
【００１９】
１      踵カバー
２      踵カバー本体
３      バンド部
４      滑止用突起
【図１】
0003134462.tif 000003
【図２】
0003134462.tif 000004
(57)【要約】 【課題】ゴルフ打撃練習器具には模擬ゴルフボールに柄を付け、柄の他端を中心に回転するようにしたものがあるが、実際にゴルフボ−ルが飛ばないため、適正に打撃しているか解りにくい問題がある。このゴルフ打撃練習器具の模擬ゴルフボール部を改良して適正に打撃をしているかを把握できる構造にすることが課題である。【解決手段】この課題を解決するために、このゴルフ打撃練習器具の模擬ゴルフボールに替えて、上下左右に傾く被打撃板を付ける。被打撃板はゴルフクラブヘッド打撃面の打撃力で、同打撃面に沿うように上下左右に傾き、通常はその傾きを保持するように半固定にする。これにより打撃後、被打撃板の方向を見て打撃の適正を判断する。【選択図】  図１
0003134467.tif 000002
【実用新案登録請求の範囲】
【請求項１】
模擬ゴルフボールに柄を付け、柄の他端を中心に回転するようにしたゴルフ打撃練習器具で、模擬ゴルフボールに替えて上下左右に半固定で傾く被打撃板を付けることを特徴とするゴルフ打撃練習器具。
【考案の詳細な説明】
【技術分野】
【０００１】
本考案はゴルフ打撃練習器具に関するものである。
【背景技術】
【０００２】
ゴルフ打撃練習器具には模擬ゴルフボールに柄を付け、柄の他端を中心に回転するようにしたものがあるが、実際にゴルフボ−ルが飛ばないため、適正に打撃しているか解りにくい問題がある。
【考案の開示】
【考案が解決しようとする課題】
【０００３】
このゴルフ打撃練習器具の模擬ゴルフボール部を改良して適正に打撃をしているかを把握できる構造にすることが課題である。
【課題を解決するための手段】
【０００４】
この課題を解決するために、このゴルフ打撃練習器具の模擬ゴルフボールに替えて、上下左右に傾く被打撃板を付ける。被打撃板はゴルフクラブヘッド打撃面の打撃力で、同打撃面に沿うように上下左右に傾き、通常はその傾きを保持するように半固定にする。これにより打撃後、被打撃板の方向を見て打撃の適正を判断する。
【考案の効果】
【０００５】
模擬ゴルフボールに柄を付け、柄の他端を中心に回転するようにしたゴルフ打撃練習器具では適正な打撃を主に感覚で把握していたが、本考案の器具では被打撃板の傾きを見て具体的に把握できる利点がある。
【考案を実施するための最良の形態】
【０００６】
本考案の器具は被打撃板１、被打撃板左右回転軸２、被打撃板上下回転軸３、柄４、柄回転軸５、支持台６からなる。構造は被打撃板１をゴルフクラブヘッド打撃面が打撃すると同打撃面に沿うように被打撃板１が被打撃板左右回転軸２及び被打撃板上下回転軸３を中心に回転して左右上下に傾く。同時に被打撃板１及び柄４が、柄回転軸５を中心に回転する。被打撃板１と被打撃板左右回転軸２のつながり、被打撃板左右回転軸２と被打撃板上下回転軸３のつながりは外力が加わると回転し、通常はその状態を保持するにように半固定で支持する。
【図面の簡単な説明】
【０００７】
【図１】本考案器具の正面図を示す。
【図２】本考案器具の上面図を示す。一点鎖線は被打撃板１が左右に傾いた状態を示す。
【図３】本考案器具の右側面図を示す。一点鎖線は被打撃板１が上下に傾いた状態を示す。
【図４】本考案器具の被打撃板１の上下左右傾き機構に球体７を使用した例において被打撃板１の部分の正面図を示す。
【符号の説明】
【０００８】
１  被打撃板
２  被打撃板左右回転軸
３  被打撃板上下回転軸
４  柄
５  柄回転軸
６  支持台
７  球体
【図１】
0003134467.tif 000003
【図２】
0003134467.tif 000004
【図３】
0003134467.tif 000005
【図４】
0003134467.tif 000006
(57)【要約】      （修正有）【課題】多くの具を効率良く掬い取ることができる、ラーメン等の中華料理を食するのに用いる散蓮華（スプーン状の飲食用具）を提供する。【解決手段】柄部１の先端に掬部２を設けて成る散蓮華において、掬部２における柄部１側端の上部寄りに液排出孔３を設けることによって、スープを掬い飲むときには、先端下方で後端上方にやや傾け、掬部２の先端側にスープを溜め、一方、主に具を食するときには、先端上方で後端下方にやや傾け、スープのみを液排出孔３から逃がす。【選択図】図１
0003134441.tif 000002
【実用新案登録請求の範囲】
【請求項１】
柄部の先端に掬部を設けた散蓮華であり、前記掬部における柄部側端の上部寄りに液排出孔を設けたことを特徴とする散蓮華。
【請求項２】
液排出孔は、平面視ハート形で、該ハート形の尖端を柄部側としたことを特徴とする請求項１記載の散蓮華。
【考案の詳細な説明】
【技術分野】
【０００１】
本考案は、ラーメン等の中華料理を食するのに用いる散蓮華に関する。
【背景技術】
【０００２】
従来より、ラーメン等の中華料理を食するには、スプーン状の飲食用具である散蓮華が使用されていた。
【考案の開示】
【考案が解決しようとする課題】
【０００３】
ところが、中華料理の中でも特に人気のメニューであるラーメンは、スープと、麺と、具とから成り、一般に麺を食した後、散蓮華によりスープ中に残った細かな具を掬って、散蓮華の掬部外面をラーメン丼内面に押し当て、散蓮華を傾け、スープのみを逃がして、掬部に残した具を減量したスープと共に食するのが通例だが、多くの具を効率良く掬い取れずに、甚だ面倒であったり、掬部に残ったスープを欲する以上に飲んでしまって、栄養摂取の過多が懸念された。
【課題を解決するための手段】
【０００４】
本考案は、上記課題に鑑み、柄部の先端に掬部を設けて成る散蓮華において、前記掬部における柄部側端の上部寄りに液排出孔を設けることによって、スープを掬い飲むときには、先端下方で後端上方にやや傾け、掬部先端側にスープを溜め、一方、主に具を食するときには、先端上方で後端下方にやや傾け、スープのみを液排出孔から逃がす様にして、上記課題を解決する。
【考案の効果】
【０００５】
要するに本考案は、柄部の先端に掬部を設けた散蓮華であり、前記掬部に液排出孔を設けたので、例えば、ラーメンのスープの中に沈殿して残った細かな具を食するときには、スープと具を掬った後、液排出孔からスープを逃がして、欲する以上のスープを飲むことなく、至極簡単に多くの具を食することが出来る。
又、掬部の後（柄部側）端の上部寄りに液排出孔を設けたので、具のみを食するときには、散蓮華を先端上方で後端下方にやや傾け、スープを逃がして、掬部中にてスープと具を選別でき、またスープを掬って飲むときには、先端下方で後端上方にやや傾け、掬部中のスープ液面（スープと大気の界面）を液排出孔下端よりも下方に位置させ、掬部先端側にスープを溜めて飲むことが出来る。
従って、スープ摂取量を飲食者の所望により自在に加減し、栄養の摂取量を調整して、ダイエットに配慮することが出来る。
【０００６】
液排出孔は、平面視ハート形で、該ハート形の尖端を柄部側としたので、外観上バランス良く、外食産業用として最適である等その実用的効果甚だ大である。
【考案を実施するための最良の形態】
【０００７】
図１〜４に本考案に係る散蓮華の一実施形態を示す。
本考案の散蓮華は、柄部１の先端に掬部２を設けて成り、該掬部２における柄部側端の上部寄りに液排出孔３を設けている。
液排出孔３は、その数、大きさ、形状を特に問わないが、図示例のものの様に、平面視ハート形で、該ハート形の尖端を柄部側とすれば、全体観良く、好ましい。
【０００８】
本考案の散蓮華により、スープを飲むときには、先端下方で後端上方にやや傾け、掬部２中のスープ液面（スープと大気の界面）を液排出孔３の下端の下方に位置させ、掬部２の先端側にスープを溜める。
又、具のみを食するときには、先端上方で後端下方にやや傾け、スープを液排出孔３から逃がして、掬部２中に具のみを残す。
【図面の簡単な説明】
【０００９】
【図１】本考案に係る散蓮華の平面図である。
【図２】図１の散蓮華の正面図である。
【図３】図１のＡ−Ａ端面図である。
【図４】図２のＢ−Ｂ拡大端面図である。
【符号の説明】
【００１０】
１  柄部
２  掬部
３  液排出孔
【図１】
0003134441.tif 000003
【図２】
0003134441.tif 000004
【図３】
0003134441.tif 000005
【図４】
0003134441.tif 000006
(57)【要約】      （修正有）【課題】口腔内において歯のかげの部分であっても歯科用剤を適正に施用することができる歯科用剤の施用筆を提供する。【解決手段】押圧により縮小し、押圧解除により弾性復元可能の中空柄１の先端部に、直線状態及び所望角度の回曲状態にそれぞれ変形し且つ各変形状態を持続可能のジャバラ２の開口一端部を、上記中空柄内部と連通状態に、接続し、上記ジャバラの開口他端部に、保水性を有する筆先部３を、上記ジャバラ内部と通水状態に取りつけた歯科用剤の施用筆。【選択図】図１
0003134423.tif 000002
【実用新案登録請求の範囲】
【請求項１】
押圧により縮小し、押圧解除により弾性復元可能の中空柄の先端部に、直線状態及び所望角度の回曲状態にそれぞれ変形し且つ各変形状態を持続可能のジャバラの開口一端部を、上記中空柄内部と連通状態に、接続し、
上記ジャバラの開口他端部に、保水性を有する筆先部を、上記ジャバラ内部と通水状態に、取りつけた、
歯科用剤の施用筆。
【考案の詳細な説明】
【技術分野】
【０００１】
本考案は、臼歯部等に窩洞形成後該窩洞にレジン等の仮封剤を充填したり、義歯、人工歯等の補修のためレジン等の補修剤を塗布したり、虫歯予防のため歯全面にフッ素剤等の予防剤を塗布したり、口腔内にブラケット等を固定するため接着剤を塗布する等のように、仮封レジン、補修レジン、虫歯予防剤、接着剤その他各種の歯科用剤を口腔内において歯に施用するための筆に関する。
【背景技術】
【０００２】
従来、この種の施用筆として、弾性合成樹脂からなるスポイト型の直線中空柄の先端に、多数本の細毛を束ねてなるブラシ状筆先部を取りつけた構造であって、これを臼歯の窩洞内に仮封レジンを充填する場合に使用するときは、まず上記スポイト型中空柄内にレジン硬化液を吸入しておき、ついで中空柄を押圧して硬化液をブラシに浸出させ、このブラシの先端部にレジン粉末をつけて、上記窩洞内に硬化反応を起させつつ塗りつけていくものが広く知られている。
【０００３】
しかし、上記従来の施用筆は、柄から筆先まで直線状のものであるため、口腔内において窩洞内のかげの部分にレジンを適正に塗りつけることは容易でなく、しばしば塗り残しがあったり、充填の過不足が生じる不都合があった。
【考案の開示】
【考案が解決しようとする課題】
【０００４】
本考案は、口腔内において歯のかげの部分であっても歯科用剤を適正に施用することができる歯科用剤の施用筆を提供することを課題とする。
【課題を解決するための手段】
【０００５】
上記課題解決の手段として、本考案は、
押圧により縮小し、押圧解除により弾性復元可能の中空柄の先端部に、直線状態及び所望角度の回曲状態にそれぞれ変形し且つ各変形状態を持続可能のジャバラの開口一端部を、上記中空柄内部と連通状態に、接続し、
上記ジャバラの開口他端部に、保水性を有する筆先部を、上記ジャバラ内部と通水状態に、取りつけた、
歯科用剤の施用筆を提案する。
【考案の効果】
【０００６】
本考案の歯科用剤の施用筆によれば、ジャバラ部分を所望角度に回曲することにより、筆先部を柄の延長方向と異なる方向へ回曲突出させることができ、それにより筆先部に付した歯科用剤を口腔内において歯のかげの部分にも適正に施すことができるようになるのである。
【考案を実施するための最良の形態】
【０００７】
本考案における上記「筆先部」とは、毛又は細繊維の多数本を束ねた通常のもの、連続気泡型合成樹脂フォーム又はゴムフォーム、その他種々のものを含む。
【０００８】
又、上記「ジャバラ」及び「中空柄」は、ポリエチレン樹脂、ポリアミド樹脂、その他種々の半硬質合成樹脂の成型により得られる。
【実施例】
【０００９】
以下図面を参照して本考案の実施例について詳述する。
図１において、（１）は半硬質の弾性合成樹脂製のスポイト型中空柄で、指で押圧することにより縮小し、押圧を解除すると弾性的に元の中空体に復元するものであり、この中空柄（１）の先端部にジャバラ（２）の一端部を接続すると共に、該ジャバラ（２）の他端部に筆先部（３）を固着してある。
【００１０】
上記ジャバラ（２）は同じく半硬質の弾性合成樹脂製のもので、直線状態及び所望角度の回曲状態にそれぞれ変形可能であって、しかも各変形状態を持続できるものである。
【００１１】
上記筆先部（３）は、本例では、多数本の毛を基部において通水可能の状態で、バンド（４）により束ねたもので、そのバンド（４）の部分を上記ジャバラ（２）の他端部に一例として接着剤を付して嵌着してある。
【００１２】
上例の施用筆を、例えば臼歯の窩洞内への仮封レジン充填に使用する場合について説明する。中空柄（１）内に予めレジン硬化液を入れておく。まず、図１実線で示すように筆先部（２）を中空柄（１）の延長方向に向けた状態で、中空柄（１）を指で押圧して中空柄（１）内の硬化液をジャバラ（２）内を経て筆先部（３）の毛に浸出させ、ついで筆先部（３）の毛にレジン粉末を付着させ、この筆先部（３）を口腔内を経て臼歯窩洞内に挿入して、レジンを塗りつけつつ硬化させていく。これを繰り返して窩洞内の正面から見える部分にレジンを塗る。
【００１３】
次に、ジャバラ（２）を図２のように適宜回曲して、筆先部（３）を中空柄（１）の延長方向から屈曲した方向に向け、その状態で、上述と同様に硬化液を筆先部（３）に浸出させてレジン粉末を付着させ、この屈曲向きの筆先部（３）をもって窩洞内のかげの部分にレジンを塗る。このようにして窩洞内全体にレジンを適正に充填する。
【図面の簡単な説明】
【００１４】
【図１】本考案による施用筆の側面図である。
【図２】施用筆の先端部分の拡大縦断面図である。
【符号の説明】
【００１５】
１  中空柄
２  ジャバラ
３  筆先部
【図１】
0003134423.tif 000003
【図２】
0003134423.tif 000004
(57)【要約】【課題】本考案は畳縁に畳縁下紙を付け一体化し、作業手順を短縮し作業の効率化を提供するものである。【解決手段】従来は縁付き畳を仕上げる際に畳縁並びに畳縁下紙は作業手順に従って順次装着し使用されていたが、畳縁にあらかじめ装着して置く事により畳の縁付け仕上げ作業の効率を高めることができるために考案された縁下紙付き加工畳縁であります。畳の表替え作業、又は畳の裏返し作業をするときに、本加工畳縁を使用すれば、畳縁に畳縁下紙をあらかじめ装着したことにより作業手順が短縮され作業効率が上がる実用性に優れたものであり、この課題を解決するものである。【選択図】図１
0003134413.tif 000002
【実用新案登録請求の範囲】
【請求項１】
縁付き畳を仕上げるときに使用する部材の畳縁に、縁下紙を予め装着し、仕上げ作業の効率を高めるために考案されたとこを特徴とする加工畳縁。
【考案の詳細な説明】
【技術分野】
【０００１】本考案は、縁付き畳を仕上げる際の部材の、畳縁に関する。
【背景技術】
【０００２】従来は縁付き畳を仕上げる際に畳縁並びに縁下紙は作業手順に従って使用されていたため、作業効率が悪かった。
【考案の開示】
【考案が解決しょうとする課題】
【０００３】畳に縁を取り付ける際の作業効率が悪かったのでそれを改良する。
【課題を解決するための手段】
【０００４】本考案では、畳縁に縁下紙を付け一体化した加工畳縁として、この課題を解決するものである。
【考案の効果】
【０００５】本考案に係わる加工畳縁は  作業手順が短縮され、作業効率が上がる実用性に優れたものである。
【考案を実施するための最良の形態】
【０００６】図１に示すように、畳縁１に縁下紙２を付け加工畳縁として使用する。
【図面の簡単な説明】
【０００７】
【図１】本考案に係わる加工畳縁の図面である。
【符号の説明】
【０００８】１畳縁
２畳縁下紙
【図１】
0003134413.tif 000003
(57)【要約】      （修正有）【課題】冷凍食品等を収納した購入時の真空保存袋は使用時内容物を全て使い切らずに一部が残存しこれを再保存する場合がある。この際、保存袋内空気を抜くための装置が各種提案されているが、更に手軽に使えるなどの利便性の向上を図る。【解決手段】小型、軽量のモーター並びに吸引扇を内蔵する吸引ボックスをストローなどの管を介して保存袋に接続することによって、手軽に且つ作業性良く空気を吸引することができる装置とする。【選択図】図１
0003134438.tif 000002
【実用新案登録請求の範囲】
【請求項１】
吸引扇を内蔵した吸引ボックスにおいてその前面側に吸引口を設け、これに先端部が食品等を収納した保存袋内に挿入された管（くだ）の後端部を接続し、そして前記吸引ボックス後面側には排気口を設け、モーターに接続された吸引扇の回転によって前記保存袋内の空気を前記管にて吸引ボックスに導き、更にこれを排気口より大気へ放出して保存袋内の空気を排出することを特徴とする保存袋内空気の吸引装置
【請求項２】
前記の管として飲料用ストローを用いることを特徴とする請求項１記載の保存袋内空気の吸引装置
【請求項３】
前記の吸引ボックスの外面に磁石を取り付けたことを特徴とする請求項１および２記載の保存袋内空気の吸引装置
【考案の詳細な説明】
【技術分野】
【０００１】
本考案は空気吸引装置に関するもので、詳しくは一般家庭などに於ける調理用として冷凍保存袋の空気抜きを衛生的、健康的且つ安全に行うために、機械的にその操作を簡素化した吸引装置に関する。
【背景技術】
【０００２】
一般家庭用或いは業務用において冷凍食品等を収納した購入時の真空保存袋は使用時内容物を全て使い切らずに一部が残存しこれを再保存する場合がある。この際保存袋内空気を予め十分に抜いてから冷凍或いは冷蔵する必要がある。これまで保存袋内空気を抜くためには保存袋内にパイプなどを挿入し、使用者がこれを口にくわえて吸い込む方法或いは水道の流水圧により発生する負圧利用や電気掃除機を用いた吸引装置などが提案されている（特許文献１、２、３参照）。
【特許文献１】特開平１１−１５７５０６号公報
【特許文献２】特開平６−３４５０４４号公報
【特許文献３】特開平５−１１２３２０号公報
【考案の開示】
【考案が解決しようとする課題】
【０００３】
上記した方法或いは装置にて保存袋内空気を抜くに当たっては次のような問題点が存する。口にくわえて吸い込む方法では使われる食品保存用ガス或いは食品から発生する雑菌も一緒に体内に取り込んでしまい、不衛生で健康的とは言えない。また人間が吸い込むため吸い込み力に限界があり、十分に空気を抜くことができない問題もある。次に水道の流水圧利用では装置が大掛かりとなると共に空気抜き操作のあいだ水は出しっぱなしで不経済となりまた水圧が弱くなれば十分な空気抜きができなくなり更に装置の準備や後片付けに手間を要する。また電気掃除機利用でも装置の準備や後片付けに手間を要すると共に掃除機を必ずしも食品専用として使用するとは限らないため不衛生の感情が先立つ。
【課題を解決するための手段】
【０００４】
上記課題を解決するため、本考案の保存袋内空気吸引装置は、吸引扇を内蔵した吸引ボックスにおいてその前面側に吸引口を設け、これに先端部が食品等を収納した保存袋内に挿入された管の後端部を接続し、そして前記吸引ボックス後面側には排気口を設け、モーターに接続された吸引扇の回転によって前記保存袋内の空気を前記管にて吸引ボックスに導き、更にこれを排気口より大気へ放出して保存袋内の空気を排出することを特徴としている。
ここで使用する吸引扇並びにこれを内蔵する吸引ボックスは小型で手のひらに乗るようなサイズが好適でありまた吸引扇の回転には電池を使うことができるため吸引作業を手軽に行うことができる。なお、保存袋とは食料品以外にも防虫を要する衣服、防錆を要する装飾品などの収納にも適合できる。
【０００５】
また前記の管として飲料用ストローを用いることができる。ストローは手軽で且つ安価に入手することができると共に蛇腹部を持つストローは曲げ箇所が生じても柔軟に対応して折れ曲がることがないため吸引力を低下させることがない。
【０００６】
更に前記の吸引ボックスの外面に磁石を取り付けることができる。これにより例えば冷蔵庫の扉に吸引ボックスを磁力でくっ付けると、これを使用者の手で支持する必要がない。このため、吸引開始から終了直前までの吸引作業中、両手で保存袋やストロー等の管を確実に保持して吸引作業を行うことができる。そして吸引終了後は保存袋内のストロー等の管を保存袋から抜いて直ちに保持袋付属のファスナーで閉める作業を迅速に行うことができる。以上のように吸引の作業性が向上すると共にストロー等の管を抜き取る際の保存袋内への空気の侵入を極力抑えることができる。
【考案の効果】
【０００７】
これまで述べたように本考案の保存袋内空気の吸引装置は吸引扇を用いるため食品から発生する雑菌等を人の体内に取り込むことはなく、また小型で軽量のため空気抜きの作業性が優れると共に装置の準備、後片付けに特別な労力を必要としないなどの効果を発揮するものである。
【考案を実施するための最良の形態】
【０００８】
本考案の実施形態を図１、２にて説明する。
【０００９】
図１は本装置の分解構成図を示す。吸引扇１を内蔵した吸引ボックス２の前面側に吸引口３を設け、吸引扇１の後方には吸引扇運転用モーター４を配置し、更にそ
の後部に排気口５を取り付ける。吸引扇の回転により吸引口３から取り込まれた空気は吸引ボックス２内を移動して、排気口５から排出される。なお付属部品として、磁石６は吸引ボックス２の底部に、電池箱７及びスイッチ８は吸引ボックス２の上部に取り付けられている。
【００１０】
図２は本装置の使用状態を示す。冷蔵庫の扉（図示せず）などに取り付けられた吸引ボックス２の前面に設けられた吸引口３にストロー９を取り付けその先端部は食品等を収納した保存袋１０内に挿入される。ここで保存袋上部にはファスナー１１が取り付けられ、その取っ手１２を右端から左方向にストロー９の近辺まで動かし、その移動部分にてファスナーを閉じ、使用者が手でファスナー１０をストロー９外周に押さえつけて両者の密着を保ちながら吸引作業を行う。吸引が終われば保存袋を下げると共に取っ手１１を左端に動かし、吸引作業は終了する。
【図面の簡単な説明】
【００１１】
【図１】本装置の分解構成図である。
【図２】本装置の使用状態を示す図である。
【符号の説明】
【００１２】
１  吸引扇
２  吸引ボックス
３  吸引口
４  モーター
５  排気口  
６  磁石
９  ストロー等の管
１０  保存袋
【図１】
0003134438.tif 000003
【図２】
0003134438.tif 000004
(57)【要約】      （修正有）【課題】保温性を保ちつつ非常に軽く手軽に開け閉めできる風呂蓋を提供する。【解決手段】硬く空気を充填した軽く薄いエアーマットの風呂蓋１を浴槽３に空気が逃げないように被せ、保温効果を得つつ非常に手軽な風呂蓋の開け閉めや浴室内での立て掛けを可能とした。風呂蓋１の空気は空気穴２から充填するものとする。【選択図】図１
0003134400.tif 000002
【実用新案登録請求の範囲】
【請求項１】
硬く空気を充填した軽く薄いエアーマット風呂蓋。
【考案の詳細な説明】
【技術分野】
【０００１】  本考案は、風呂蓋に関する。
【背景技術】
【０００２】  従来の風呂蓋は、蓋が重く開け閉めが煩雑であるとともに、簡単に立てかけることができなかった。
【考案の開示】
【考案が解決しようとする課題】
【０００３】  しかし、これでは、風呂蓋の開け閉めや立てかけを行う一連の動作が面倒である。
【課題を解決するための手段】
【０００４】  そこで、風呂蓋に、空気を硬く充填した薄く軽いエアーマットを用いる。
【考案の効果】
【０００５】  よって、風呂蓋が非常に軽く開け閉めが楽になり、風呂蓋を開けているときは風呂室内に手軽に立てかけることができる。
【考案を実施するための最良の形態】
【０００６】  本考案に係る風呂蓋１は、図１に示すように、空気穴２から固く空気を充填したエアーマットであり薄く非常に軽い。風呂蓋１の淵は平面になっており、浴槽３に浴槽内の空気が逃げないよう被せ浴槽内を保温する。
【図面の簡単な説明】
【０００７】
【図１】  本考案に係る風呂蓋を利用した状態の外観図である。
【符号の説明】
【０００８】  １  風呂蓋
２  空気穴
３  浴槽
【図１】
0003134400.tif 000003
(57)【要約】      （修正有）【課題】夏冬の暖房器は極めて大切なものであるが少しでも電力の消費量が少なくて済むように求められていた。【解決手段】波型をした紙の上下左右に紙を貼りそれを数個重ね合わせ、夫々の間にアルミ箔を挿入し、その全体のまわりを裏と表にアルミ箔を貼りつけた布袋、または紙袋で包んだ構造の断熱材Ｂ。【選択図】図１
0003134397.tif 000002
【実用新案登録請求の範囲】
【請求項１】
波型をした四角い紙の上、下、並びに側面を紙で被ったものを数層重ね、それぞれの間にアルミ箔を挿入し、その全体の周りに裏と表にアルミ箔を貼りつけた紙性または布製の袋で蔽った構造の断熱材。
【考案の詳細な説明】
【考案の利用分野】
【０００１】    環境、衛生に関するものである。
【背景技術】
【０００２】    夏は暑く、冬は寒いという自然環境の中で、人間は夏は涼しく、冬は暖かいという事を望んだ。そしていろいろ工夫を凝らしてきたのである。寒さに対しては焚き火をしたり、炭をおこしたり、又家では瓦の下に厚い粘土を用いたり、戸や窓の隙間をなくしたり、カーテンをつけて又暖房器を用いたりして寒さを防いだ。夏は団扇を用い風通しを良くしたり日覆を用い扇風機を使って暑さをしのいできたのである。本考案もその種類の一つである。
【本考案が解決しようとする課題】
【０００３】      プレハブ住宅や簡易住宅では夏冬気温の影響を受けやすく、冬は寒く夏は暑く、そのため冷暖房機器がことさら珍重されるのであるが、その電力の使用料も馬鹿にできないのである。そこで色々な断熱材が用いられてきたのであるが、より安価でより軽く手軽なものが求められているのである。
【課題を解決しょうとする手段】
【０００４】      そこで我々は波型をした紙の上下、左右に平らな紙を貼り、そしてこれを数層重ね、それぞれの間にアルミ箔を挿入しその全体の周りを布袋で包んで断熱材Ａを作ったのである。、耐火性を考えて、回りの布袋にセラミック含有塗料を用いたのであるが、この製品には難燃性において少々難点があることがわかったのである。
【０００５】      そこでこの難燃性の難点を解決するために、断熱材を包む袋に改良を加えることにしたのである。即ち紙または布の表側と裏側にアルミ箔をしっかり貼り付けて断熱材を包む袋を作ったのである。この袋は火に近づけても燃える事がなく建築材の中に用いても安全であると思われるのである。
【０００６】      かくして本考案の断熱材は、天井裏、壁と壁との間、窓に近い所などに用いられると安全で効果あるものと考えられる。
【実施例】
【０００７】        波型をした紙の上下、左右に平らな紙を貼ったものを５０ｃｍ×１００ｃｍの大きさに切り、それを３層に重ね、その層と層との間にアルミ箔を挟んだものを作り、その全体の周囲を、表裏にアルミ箔を貼りつけた布袋で被って完成するのである。そしてこれは耐火性でもあり、断熱にも効果が期待されるものと考えられるのである。
【考案の効果】
【０００８】    本考案の断熱材を用いれば冬は暖かく夏は涼しくすることができる。構造は簡単、製作は容易でありかなりの効果を期待することができ、安全安価である。
【図面の簡単な説明】
【０００９】
【図１】      斜位図
【図２】      正面図
【図３】      側面図
【図４】      水平面図
【符号の説明】
Ａ……アルミ箔
Ｂ……布袋
Ｃ……波型の紙
Ｄ……平な紙
【図１】
0003134397.tif 000003
【図２】
0003134397.tif 000004
【図３】
0003134397.tif 000005
【図４】
0003134397.tif 000006
(57)【要約】      （修正有）【課題】自転車、オートバイが盗難にあった場合、警告灯または警報を発し、その状態を第三者に知らせることで、盗難を行っている者に対し心理的な抑止を働かせることのできる盗難防止を提供する。【解決手段】盗難抑止警報装置を設置した自転車、オートバイに乗車する際に、所有者の暗証を入力することで、暗証が一致し走行した場合、盗難抑止警報装置の警告灯が所有者一致の色に点灯し、暗証が不一致で走行した場合は警告灯が所有者不一致に点灯すること、また一定時間を経過した場合はさらに警報を発することで、第三者に盗難車か否かを警告灯等にて知らせる事で、盗難を行っている者に対する心理的抑止を働かせる装置。【選択図】図１
0003134393.tif 000002
【実用新案登録請求の範囲】
【請求項１】
盗難抑止警報装置を設置した自転車、オートバイに乗車する際に、所有者の暗証を入力することで、暗証が一致し走行した場合は盗難抑止警報装置の警告灯が所有者一致の色に点灯し、暗証が不一致で走行した場合は警告灯が所有者不一致に点灯し、さらに一定時間を経過した場合は警報音を発することで、第三者に盗難車である旨を継続的に知らせる事で、盗難を行っている者に対する心理的抑止を働かせる装置。
【請求項２】
請求項１の盗難抑止警告灯装置を設置した自転車、オートバイが放置された場合、停車日時表示面に停車中の累積日時を表すことで、第三者が確認した場合に、その自転車、オートバイが長時間停車し放置されている事の判断が出来るため、放置の発見に有効となる装置。
【考案の詳細な説明】
【技術分野】
【０００１】  本考案は、自転車、オートバイが盗難にあった場合、警報を発し、その状態を第三者に知らせることで、盗難を行っている者に対する心理的な抑止を働かせることのできる盗難防止を提供する装置に関する。
【背景技術】
【０００２】  従来の自転車、オートバイのタイヤやハンドルを固定施錠、又は鎖による施錠の盗難防止鍵は、鍵を破戒、または鎖を切断されてしまった場合、その自転車、オートバイは容易に盗難される。
【考案の開示】
【考案が解決しようとする課題】
【０００３】  上記の如く、従来技術の盗難防止鍵は一旦破戒された後、盗難の過程においても、その自転車、オートバイが盗難車である事実の判断が第三者に判りづらい。【０００４】  考案の目的は、自転車、オートバイが盗難にあっている過程又は放置されている過程を警告灯ならびに警報音を発し、放置された場合は停車日時を点灯することで第三者に盗難の事実を知らせる。
【課題を解決するための手段】
【０００５】  本考案は、盗難抑止警報装置を設置した自転車、オートバイに乗車する際に、所有者の暗証を入力することで、暗証が一致し走行した場合は盗難抑止警報装置の警告灯が所有者一致の色に点灯し、暗証が不一致で走行した場合は警告灯が所有者不一致に点灯する。また一定時間を経過した場合はさらに警報を発することで、第三者に盗難車か否かを継続的に知らせる事で、盗難を行っている者に対する心理的抑止を働かせる装置。【０００６】  また、盗難抑止警報装置を設置した自転車、オートバイが盗難後に放置されら場合、停車日時表示面に停車中の累積日時を表すことで、第三者が確認した場合に、その自転車、オートバイが長時間停車し放置されている事の判断が出来るため、放置の発見に有効となる装置。
【考案の効果】
【０００７】  本考案は、従来技術の固定施錠、又は鎖による施錠とは違い、盗難の過程を知らせる装置である。盗難しようとする者は必ず、自転車、オートバイに乗り移動を行う事が前提であり、移動を開始したとき、即座に警告灯、警告を発し続けることで、必ず第三者の知る事となる。また盗難抑止警報装置を設置した自転車、オートバイを盗難しようとする場合には、警告灯、警報が発する事を理解している為、容易に盗難の行為に及ばない事となるのが利点である。
【考案を実施するための最良の形態】
【０００８】  以下、本考案を図面に基づき詳細に説明する【０００９】  図１に示すように、暗証入力装置１１は図２で示すような流れを経て、図１の盗難抑止制御装置１２の様式の変更、および停車日時表示装置１３の値を変更する。
盗難抑止制御装置１２は事前に据えた様式に従い走行感知器の感知状態を図３、図４のように判断し、停車日時表示装置１３と二色発光警報装置１５の制御を行う。
電源供給装置１６は、電池もしくは、発電機等を用いて暗証入力装置１１、盗難抑止制御装置１２、停車日時表示装置１３、走行感知器１４、二色発光警報装置１５に電源を供給する。【００１０】  図２に示すものは、図１の暗証入力装置１１の暗証の入力方法の流れを説明したもので、図２は暗証入力１１を行った後、暗証入力装置１１で暗証の正否判断を行い、合致した場合は’走行’である旨の値を盗難抑止制御装置１２の様式を変更し、また停車日時表示装置１３の停車日時を初期値する。２２で暗証の正否判断が不一致となった場合は、暗証入力装置１１の暗証の入力に戻る。【００１１】  図３に示すものは、盗難抑止制御装置１２の様式が’走行’の場合で、走行感知器１４が走行を感知した場合と停車中で走行を感知しなかった場合の流れを示す。走行感知器１４が走行を感知し走行中の場合は、停車日時表示装置１３の停車日時の初期化を行い、二色発光警報装置１５に所有者一致の色の明かりを点灯する。
走行センサー１４が走行を感知しない停車中の場合は、二色発光警報装置１５は点灯しない、また停車中が一定時間を経過した場合は、停車日時表示装置１３の停車日時の初期化し、盗難抑止制御装置１２の様式を’停車’に変更する。【００１２】  図４に示すものは、盗難抑止制御装置１２の様式が’停車’の場合で、走行感知器１４が走行を感知した場合と停車中で走行を感知しなかった場合の流れを示す。走行感知器１４が走行を感知し走行中の場合は、停車日時表示装置１３の停車日時を累積し表示し、二色発光警報装置１５に所有者不一致の色の明かりを点灯し、また一定時間経過した場合は警報も鳴らす。
走行感知器１４が走行を感知しない停車中の場合は、二色発行警報装置１５は点灯しない、停車日時表示装置１３の停車日時を累積し表示する。
【図面の簡単な説明】
【００１３】
【図１】盗難抑止制御装置と周辺装置の関係を表す
【図２】暗証入力の流れを表す
【図３】盗難抑止制御装置が’走行’の場合の流れを表す
【図４】盗難抑止制御装置が’停車’の場合の流れを表す
【符号の説明】
【００１４】１１  暗証入力装置
１２  盗難抑止制御装置
１３  停車日時表示装置
１４  走行感知器
１５  二色発光警報装置
１６  電源供給装置
【図１】
0003134393.tif 000003
【図２】
0003134393.tif 000004
【図３】
0003134393.tif 000005
【図４】
0003134393.tif 000006
(57)【要約】      （修正有）【課題】団扇の柄にグリップ（握り部）を付けて持ち易く、扇ぎやすい団扇にする。【解決手段】弾性素材で出来た短い柄の先に親指を伸ばしたまま持った時、手のひら側に出来る空間をすっぽりと埋める形状で表面に凹凸のついたグリップ（握り部）３を柄２に対して斜めに取り付け、持ち易く、扇ぎ易くしようとした団扇１である。【選択図】図１
0003134399.tif 000002
【実用新案登録請求の範囲】
【請求項１】
弾性素材で出来た柄の先に、手のひら全面が密着する形状で凹凸の付いたグリップ（握り部）を柄に対して斜めに取り付けた団扇
【考案の詳細な説明】
【技術分野】
【０００１】  本考案は柄にグリップ（握り部）を付けた団扇に関するものである。
【背景技術】
【０００２】  従来の団扇の柄は棒状であり本人に風を当てようとすると持ちにくく、扇ぎにくいものであった。
【考案の開示】
【考案が解決しようとする課題】
【０００３】  従来の持ちにくく、扇ぎにくい団扇の柄にグリップ（握り部）を付けて持ちやすく、扇ぎやすい団扇にしようとするものである。
【課題を解決するための手段】
【０００４】  本考案は図１が示す通り弾性素材で出来た短い柄の先に親指を伸ばしたまま持った時、手のひら側に出来る空間をすっぽりと埋める形状で表面に凹凸のついたグリップ（握り部）を柄に対して斜めに取り付け、持ち易く、扇ぎ易くしようとした団扇である。
【考案の効果】
【０００５】  本案の特徴は従来品である棒状の柄では手との接点が小指と親指の二点であったが、手のひら全体が接触し凹凸（滑り止め）のついたグリップ（握り部）を取り付けたことにより二点支持から面支持に変わり、手の力が効率よくグリップ（握り部）から柄に、柄から団扇面に伝える事が出来るようになる。又、伸ばした親指と柄の接点が力点となる為弾性素材の柄に「しなり」が生じ、腕を動かさずに手首のスナップ力だけで扇ぐことが可能となる。又、グリップ（握り部）を柄に対して斜めに取り付けることにより手の動きと生じた風の方向が一致し、手首や腕を無理に曲げて扇ぐなどの余分な力を必要としないので長時間扇ぎ続けても疲労が少ない。
【考案の実施するための最良の形態】
【０００６】  使用方法はグリップ（握り部）を手のひら全体で掴み、親指を伸ばして柄部に乗せ、握り部全体を支点、親指と柄の接する部分を力点として腕は動かさず、手首のスナップだけを使って扇ぐものである。
【図面の簡単な説明】
【０００７】
【図１】本考案の平面図である。
【符号の説明】
【０００８】  １  団扇面
２  柄
３  握り部
【図１】
0003134399.tif 000003
(57)【要約】      （修正有）【課題】生地乾燥網の台車式ストッカーにおいて、乾燥網の送出、挿入を、従来使用している台車及び乾燥網を使用して円滑に行う新規な自動化の改良した装置を提供する。【解決手段】棚上に構成した台車を上下２段に形成し、上下２工程で乾燥網の送出・挿入を行うことによって台車の入換に要する間に設備を止めたり、同じ装置を２台設ける必要もなく円滑な作業ができる。また経年よってキャスターが摩耗して段差が生じても押上げシリンダーを設けたことにより台車自体を押上げることにより乾燥棚の差し込みをスムーズに行なえるため長時間の使用に耐えることが可能となった。【選択図】図３
0003134372.tif 000002
【実用新案登録請求の範囲】
【請求項１】
作業ライン上を循環移動するキャスター付きの乾燥網を収納する棚状の台車Ａに対して、中間移動棚Ｂに押出しプッシャーによって乾燥網を中間移動棚Ｂに押出し供給する乾燥網自動供給装置において、台車Ａ作業位置に台車押上げシリンダーＧを設けたことを特徴とした乾燥網台車式ストッカーの台車押上げ装置。
【考案の詳細な説明】
【技術分野】
【０００１】
本考案は、煎餅生地製造における生地乾燥網自動処理装置における台車式ストッカーの台車押上げ装置に関する。
【背景技術】
【０００２】
煎餅生地は乾燥網に並べて自然乾燥して作られこれを焼いて製品としている。また最近では特開平１１−２０８８９０号にみられるように自動化が進み、コンベアーを用いた自動乾燥装置も開発されている。
【特許文献１】実用新案登録第３０８７７０３号公報
【考案の開示】
【考案が解決しようとする課題】
【０００３】
しかし、機械を新しく自動化するには、コンベアーを使用して乾燥網をベルト上に流して台車を用い循環使用するため、台車や乾燥網を新しくすることによって設備費等に多大な費用が必要となっている。出願人はこの点に鑑み、自動化するに当って、乾燥網を収容する棚状の台車を上下２段に仕切り、上段の操作と下段の操作を２段階に区切り、一段階目の操作をしている間に次の操作の準備を行うことができるため無駄なく作業が円滑に移行し、しかも台車の棚の間口をテーパー状に広げるため規格寸法に合った新しい乾燥網を使用することなく、従来使用していた網、多少歪みができている乾燥網でも使用できるようにしたものであって、この先の考案は、当業者間では好評を得て、いくつかの実施化をみている。
【０００４】
しかし、経年とともにキャスターが摩耗して台車の高さが低くなる。特に作業場がコンクリートのたたきのような場合は著しく、このためラインを止めてキャスターの交換を行うことがしばしばであった。
【課題を解決するための手段】
【０００５】
この問題を解決するため改良を加えたもので、台車Ａから乾燥網を棚から移す位置にシリンダーＧを配置して、このシリンダーＧを上昇させることによって、台車自体を押上げることで台車Ａと移動中間受棚Ｂとの間の段差をなくして衝撃による騒音や作業の中断等の不便をなくし円滑な乾燥網の移動が行なえることに成功した。
【考案の効果】
【０００６】
上記のように本考案は自動化に際して台車作業位置にシリンダーを設けることによって、台車自体を押上げ、台車と中間移動受棚との間の段差をなくして円滑な操作が行えるためラインの中断や段差による騒音もなくなった。
【０００７】
また本考案は台車Ａと中間移動受棚Ｂとの間の作業を２段階の工程とすることにより台車の入換に要する間に連動する設備を止める又は同じ装置を２台設置する必要がなく、これによって工程に要する時間が少ないため関連するラインの速度を早めることができるものであって、従来から知られているストッカー装置に比較して卓越した作用効果を奏する。
【実施例】
【０００８】
添付図面により本考案の実施例を説明すると、図１は本考案の基本となる乾燥網の供給装置の作動工程の正面図であって、図２は乾燥網供給側の説明図である。図３において台車Ａは上下２段構成であり、上下２段構成であり、上段（１），下段（２）共、多数の網が満載に棚置されていて、一次工程として、隣接している移動中間受棚Ｂに上段プッシャー（１−１）によって、移動中間受棚Ｂ（以下単に受棚Ｂと称す）に押込まれ、この受棚Ｂの下方から搬送コンベアー（３）上に移送される。（図４参照）
【０００９】
図４において台車Ａ上段の乾燥網は空となり、受棚Ｂの乾燥網も空となると、図５に移り、受棚Ｂは台車Ａの下段（１−２）の乾燥網側に移り下段プッシャー（２−２）によって受棚Ｂに押込まれ、この受棚Ｂの乾燥網は上方から順次搬送コンベアー（３）に図示のように矢印の如く送られて台車Ａは空台車となる。乾燥網の台車Ａへの受入側はこの工程の逆になり、図示していないが乾燥網はコンベアー（３）から受棚Ｂに移され、図示の右側から上下のプッシャーによって空台車上に移載され、台車上は作業ラインに（図示なし）従って回送され作業を一順して図３に戻る。
【００１０】
このように台車Ａは回送されて作業を一順するコースを繰返して行なわれるため台車Ａのキャスター（５）は摩耗して径が小さくなって、前記作業工程中の台車Ａと受棚Ｂとの間に段差Ｓが生じる。この現象は工場の床がコンクリートのたたきの場合特に数多く現われる。
【００１１】
この段差Ｓが生じると、プッシャー（１）からの受棚Ｂ，台車Ａへの乾燥網の押出しが困難となり、段差による騒音もひどく、円滑に行えず、段差Ｓが小さいうちは台車Ａを傾けるなどして解決できるが、図示のように大差になると作業ラインが中断され、キャスター（５）の修理交換が行われる。
【００１２】
この問題点を解消するのが本考案の要旨であって、本考案は、台車Ａと受棚Ｂの作業位置の台車Ａの位置する所にシリンダーＧを設置して、台車Ａ自体をシリンダーＧの上昇によって押上げてこの問題を解決するもので、このシリンダーＧの押上げ幅は自動によって調整することができる。
【産業上の利用可能性】
【００１３】
上述のように本考案は、従来から使用している自動化装置の経年変化する不具合を微かな改良で解消することができるため経済的でこの利用価値はきわめて大きい。
【図面の簡単な説明】
【００１４】
【図１】本考案の自動化装置の正面図
【図２】本考案の自動化装置の側面図
【図３】基本作動の工程説明図（第１工程）
【図４】基本作動の工程説明図（第２工程）
【図５】基本作動の工程説明図（第３工程）
【図６】基本作動の工程説明図（第４工程）
【図７】考案の実施例説明図
【図８】考案の実施例図
【符号の説明】
【００１５】
１  上段プッシャー
２  下段プッシャー
３  搬送コンベアー
４  キャスター
Ａ  台車
Ｂ  移動式中間受棚
Ｇ  押上げジャッキ
【図１】
0003134372.tif 000003
【図２】
0003134372.tif 000004
【図３】
0003134372.tif 000005
【図４】
0003134372.tif 000006
【図５】
0003134372.tif 000007
【図６】
0003134372.tif 000008
【図７】
0003134372.tif 000009
【図８】
0003134372.tif 000010
(57)【要約】      （修正有）【課題】ボディ（胸部、腹部、腰部）を一体化し、尚装着時においては着易さと保温および包み込む安堵感を持たせた下着を提供する。【解決手段】素材を伸縮性のあるもの及び織り方により前面２箇所にギャザーを入れる事による。【選択図】図３
0003134375.tif 000002
【実用新案登録請求の範囲】
【請求項１】
下着の胸部、腹部、腰部を一体化。下着の『隠す』という役目に加え保温を含めた『女性の体を守る』目的も加えた下着
【考案の詳細な説明】
【技術分野】
【０００１】本考案は、伸縮性のある布及び織り方により保温と安堵感を与える女性下着である。
【背景技術】
【０００２】従来の下着は胸部、腹部、腰部それぞれを覆い隠す機能や補正、矯正する機能しかなかった。
【考案の開示】
【考案が解決しようとする課題】
【０００３】従来の下着は隠す機能に加え、女性の体を保温する機能、且つ体のサイズの個人差がありひとつの形に納めることが困難である。
【課題を解決するための手段】
【０００４】本考案は素材を伸縮性のあるものを用いる事及び織り方により、前面２箇所にギャザーを入れる。
【考案の効果】
【０００５】胸部、腹部、腰部は隠し、さらに胸部、腹部、腰部を包み込むデザインで全体を覆い保温と安堵感を与える機能を持たせ、さらに体のサイズ及び形態に関わらず着用できる。【０００６】風呂上りにリラックスしたい時や温泉地等の外湯巡りなどに浴衣の下に着用すれば、着脱が簡単で便利また部屋着として効果的である。
【図面の簡単な説明】
【０００７】
【図１】本考案の前面図である。
【図２】本考案の裏面図である。
【図３】本考案の側面着用図である。
【符号の説明】
【０００８】１・・・ギャザー部分
【図１】
0003134375.tif 000003
【図２】
0003134375.tif 000004
【図３】
0003134375.tif 000005
【手続補正書】
【提出日】平成19年5月8日(2007.5.8)
【手続補正１】
【補正対象書類名】実用新案登録請求の範囲
【補正対象項目名】全文
【補正方法】変更
【補正の内容】
【実用新案登録請求の範囲】
【請求項１】
下着の胸部、腹部、腰部を一体化、下着の『隠す』という役目に加え保温を含めた『女性の体を守る』目的も加えた下着である。